(57)【特許請求の範囲】
【請求項１】
フラップ動作を行う天板の平面方向の一部の領域において、当該天板面よりも下方に、天板の厚みの少なくとも一部を利用して天板面と平行な状態で板状のバッテリを収納するバッテリ収納部を設け、このバッテリ収納部を蓋部材によって閉止可能かつ天板面以外の部位に開放可能としたことを特徴とするフラップテーブル。
【請求項２】
バッテリ収納部が天板の裏面側に開放されるものであり、蓋部材が前記天板の裏面に対して着脱可能な裏板である請求項１記載のフラップテーブル。
【請求項３】
前記バッテリ収納部を、天板の厚み内にバッテリ全体が埋没するように構成されている請求項２記載のフラップテーブル。
【請求項４】
前記天板の裏面若しくは前記裏板の内面の少なくとも何れか一方に、裏板の取り付け時にバッテリと係り合って天板の姿勢にかかわらずバッテリの位置を保持する係止部材が設けてある請求項２又は３記載のフラップテーブル。
【請求項５】
係止部材が、裏板をバッテリに圧着するための摩擦シートである請求項４記載のフラップテーブル。
【請求項６】
裏板の一部を折り曲げて前記バッテリ収納部に連通する配線空間を形成する配線ダクトを設けている請求項２〜５の何れかに記載のフラップテーブル。
【請求項７】
バッテリ収納部が天板の厚み内に袋状に構成されて側縁側に開放されるものであり、蓋部材が前記側縁に対して着脱可能なエッジカバーである請求項１記載のフラップテーブル。
【請求項８】
フラップ動作する天板の動作中心となる軸線を挟んで当該軸線と直交する天板奥行き方向の両側にバッテリ収納部を対をなして設けている請求項１〜７の何れかに記載のフラップテーブル。
【請求項９】
対をなすバッテリの間に上方に開放可能な共通の配線空間を有し、この配線空間を介して天板上とバッテリとの間で配線の引き回しを可能にしている請求項８記載のフラップテーブル。
【請求項１０】
天板表面のうち前記配線空間を開閉する位置に、カバーを、保持手段を介してフラップ動作中に閉止状態を維持し得る状態で配置している請求項９記載のフラップテーブル。
【請求項１１】
閉止位置にあるカバーの側方に配線空間の一部を開放する開放部を設けて天板上からバッテリへのアクセスを可能にし、バッテリの一部に設けられて給電能力や給電状態等の給電情報を表示するバッテリ表示部もかかる開放部から視認可能としている請求項１０記載のフラップテーブル。
【請求項１２】
天板をフラップ動作可能に支持する一対の脚体の間に、変圧器等の電源ユニットを収納する電源ユニット収納部を備えた幕板を配置し、天板の使用状態で前記電源ユニット収納部を前記配線空間の下方に位置づけている請求項６，９又は１０の何れかに記載のフラップテーブル。
【発明の詳細な説明】
【技術分野】
【０００１】
本発明は、フラップ動作する天板にバッテリを有効に組み込んだフラップテーブルに関するものである。
【背景技術】
【０００２】
近時の電子機器類の普及に伴って、デスクやテーブルの天板を利用して電源を搭載したものが開発されている。
【０００３】
例えば特許文献１には、地震対策として、上面板と、この上面板を支持する脚部とから構成されるデスク本体部と、前記上面板に固定された防振具取付板と、前記防振具取付板に取付けられた防振具と、前記防振具上に取付けられた事務用電子機器載置板とから構成される電子機器用デスクが示されており、さらにこの電子機器用デスクには、上面板の下方に突出した状態で無停電電源装置が一体化されている。
【０００４】
また、特許文献２には、電池を非常用電源として用いる機器を配置する机において、机の天板内に一次電池または二次電池、充電回路、電子制御回路を備えたＯＡ機器用の机が開示されている。具体的には、机の天板の上面板と下面板との間に電池収納部や二次電池としてのリチウム薄型電池が配置され、上面板全体を取り外してこれらの部品の装着や変更等を行うことができるように構成されている。
【先行技術文献】
【特許文献】
【０００５】
【特許文献１】実開平２−３３６３５号公報
【特許文献２】実開平６−１５９号公報
【発明の概要】
【発明が解決しようとする課題】
【０００６】
ところが、特許文献１のように天板の下方に無停電電源装置を取り付けると、無停電電源装置が天板下に突出して下肢空間の妨げになり、無停電電源装置の交換も下から行わなければならないため不便である。
【０００７】
一方、特許文献２のように天板の上板と下板の間に電池その他の電源ユニットを格納する構造は、これらを天板の厚み内に収めることができて便利であるが、上板全体を取り外さないと電池交換等ができないためにやはり不便であり、天板強度が低下する要因ともなる。
【０００８】
そもそも、これらは固定天板を備えたデスクにおいて地震等の非常時対策として考えられたものであり、移動先で展開して使用され非使用時に折り畳んで収納されるフラップ動作する天板ではむしろ移動が前提であるため、目的の相容れないものである。
【０００９】
とはいえ、フラップテーブルにおいても、移動先で電源が確保できない場合があり、バッテリを搭載することが有効であって、通常のデスクに比して定常的な下肢空間が存在しないことに鑑みると、天板近くにバッテリを持ち込むことは有効な構成となり得る。
【００１０】
そこで、上記の特許文献に示された天板を後縁側を支点に回転できるように構成することも考えられるが、特許文献１の態様ではスタック効率の低下につながる上に、バッテリから作用するモーメントも大きくなり、特許文献２の態様では天板強度が保てるかどうか、或いはバッテリを着脱容易な状態で安定して保持できるかどうかの疑問が残る。
【００１１】
さらに、フラップ動作する天板とともにバッテリを可動とするためには、バッテリ周辺の配線の取り回し等にも配慮が必要となる。
【００１２】
本発明は、このような課題に善処しつつ、フラップ動作する天板付近にバッテリを適切に組み込んだフラップテーブルを新たに提供することを目的としている。
【課題を解決するための手段】
【００１３】
本発明は、かかる目的を達成するために、次のような手段を講じたものである。
【００１４】
すなわち、本発明のフラップテーブルは、フラップ動作を行う天板の平面方向の一部の領域において、当該天板面よりも下方に、天板の厚みの少なくとも一部を利用して天板面と平行な状態で板状のバッテリを収納するバッテリ収納部を設け、このバッテリ収納部を蓋部材によって閉止可能かつ天板面以外の部位に開放可能としたことを特徴とする。
【００１５】
このように天板の平面方向の一部の領域のみにバッテリ収納部を設けるようにすれば、天板の強度を損なわずにバッテリを組み込むことができる。特に、天板の厚みの少なくとも一部をバッテリ収納部に利用することで、天板裏面への突出も抑えることができ、下肢空間を狭めたり、フラップ動作時にスタッキング効率の低下につながることも極力回避することができる。天板の厚みの一部にバッテリが収納されることで、天板をフラップ動作させた際にバッテリを天板の内壁に安定的に添設させておく態様も容易に実現可能である。そして、バッテリ収納部が天板面以外の部位に開放されるため、天板面の外観を損ねることも有効に防止することができる。
【００１６】
使用時におけるバッテリの収納状態とメンテナンス時等における作業の便とを両立させるためには、バッテリ収納部が天板の裏面側に開放されるものであり、蓋部材が前記天板の裏面に対して着脱可能な裏板であることが望ましい。
【００１７】
より簡素にして見掛けや収納状態を良好に保つには、前記バッテリ収納部を、天板の厚み内にバッテリ全体が埋没するように構成しておくことが好ましい。
【００１８】
天板のフラップ動作時や移動時などに、当該天板の裏面と裏板との間に形成されるバッテリ収納部内でバッテリがガタつくことを有効に防止するためには、前記天板の裏面若しくは前記裏板の内面の少なくとも何れか一方に、裏板の取り付け時にバッテリと係り合って天板の姿勢にかかわらずバッテリの位置を保持する係止部材を設けておくことが望ましい。
【００１９】
このような係止手段としては、裏板をバッテリに圧着するための摩擦シートが好適である。
【００２０】
裏板に配線機能を兼ねさせるためには、裏板の一部を折り曲げて前記バッテリ収納部に連通する配線空間を形成する配線ダクトを設けておくことが好適である。
【００２１】
また、バッテリ収納部の上記以外の態様としては、当該バッテリ収納部が天板の厚み内に袋状に構成されて側縁側に開放されるものであり、蓋部材が前記側縁に対して着脱可能なエッジカバーであるものが挙げられる。
【００２２】
このようにすれば、バッテリを天板内部に好適に隠蔽した状態で保持することができ、エッジカバーを外せばバッテリの初期装着時や交換時等の作業を簡単に行うことができる。しかも、天板の側縁は天板がどのような姿勢にあるかによらずにアクセスできるため、利用が容易となる。
【００２４】
この場合の近傍とは、天板のフラップ動作時のバランスが大きく崩れない範囲であるが、ひとつの目安としては、単体のバッテリであればそのバッテリの占める範囲内に軸線が位置する程度が好ましく、複数のバッテリを設ける場合にもその平均重心位置に総重量と同じ重量の単体のバッテリが存在すると仮定した場合にそのバッテリの占める範囲内に軸線が位置する程度が好ましい。
【００２５】
同様の趣旨で、フラップ動作する天板の動作中心となる軸線を挟んで当該軸線と直交する天板奥行き方向の両側にバッテリ収納部を対をなして設けている態様が好適である。
【００２６】
この場合、配線処理の便を同時に図るためには、対をなすバッテリの間に上方に開放可能な共通の配線空間を有し、この配線空間を介して天板上とバッテリとの間で配線の引き回しを可能にしていることが望ましい。
【００２７】
特に、フラップテーブルの中央に配線機能を持ち込む構成を実効あらしめるためには、天板表面のうち前記配線空間を開閉する位置に、カバーを、保持手段を介してフラップ動作中に閉止状態を維持し得る状態で配置していることが好ましい。
【００２８】
さらに、カバー閉止時における天板上での電子機器類の使い勝手を良好に保つためには、閉止位置にあるカバーの側方に配線空間の一部を開放する開放部を設けて天板上からバッテリへのアクセスを可能にし、バッテリの一部に設けられて給電能力や給電状態等の給電情報を表示するバッテリ表示部もかかる開放部から視認可能としていることが望ましい。
【００２９】
上記各配線空間への配線立ち上げをスムーズならしめるためには、天板をフラップ動作可能に支持する一対の脚体の間に、変圧器等の電源ユニットを収納する電源ユニット収納部を備えた幕板を配置し、天板の使用状態で前記電源ユニット収納部を前記配線空間の下方に位置づけていることが効果的である。
【発明の効果】
【００３０】
本発明は、以上説明した構成であるから、フラップ動作する天板にバッテリをコンパクトに、かつ当該天板の強度を損なうことなく適切に組み込んで利用に供することができ、これにより使用時における電子機器類の利用の便と、収納時におけるコンパクトな折り畳み状態とを好適に両立させたフラップテーブルとして提供することができる。
【図面の簡単な説明】
【００３１】
【図１】本発明の一実施形態に係るフラップテーブルの使用状態を斜め上方から見た斜視図。
【図２】同フラップテーブルの一部分解した斜視図。
【図３】同フラップテーブルの使用状態を示す側面図。
【図４】同フラップテーブルの収納状態を示す側面図。
【図５】同フラップテーブルに組み込まれたトーションバーを示す部分正面図。
【図６】同フラップテーブルの配線取出口近傍の構造を示す部分破断斜視図。
【図７】同フラップテーブルにおけるバッテリの収納状態を示す部分側断面図。
【図８】同平面図。
【図９】同フラップテーブルの充電状態を示す斜視図。
【図１０】本発明の変形例を示す図。
【図１１】本発明の他の変形例を示す図。
【発明を実施するための形態】
【００３２】
以下、本発明の一実施形態を、図面を参照して説明する。
【００３３】
この実施形態のフラップテーブルＴは、図１及び図２に示すように、左右に対をなす脚体１と、これらの脚体１，１間を連結した状態で当該脚体１によってフラップ動作可能に支持される天板２とから構成される。
【００３４】
脚体１は、脚支柱１１と、この脚支柱１１の下端側を支持する位置に設けた前後に延びるベース脚１２とを具備し、左右の脚体１の上端部間を連結する位置に補強用の横架材１３が設けられたもので、脚体１の一部（この実施形態では横架材１３の両端部）に図３及び図４に示すような板状の固定ブラケット１４を脚体１から上方に向けて突出させている。横架材１３の下方には幕板１５が配置されており、ベース脚１２の下端はキャスター１２ａに支持されている。
【００３５】
一方、天板２は、図１、図２及び図９に示すような平面視楕円形状をなすもので、その下面に一対の可動ブラケット２１及び天板受部材２２が取り付けられる。可動ブラケット２１は、天板２の幅方向Ｘの両縁近傍の下面を支持する位置に奥行き方向Ｙに沿って配される袋状のもので、天板受部材２２は一対の可動ブラケット２１，２１の最寄りの立面間を接続する位置に設けられた角パイプ状をなす。これら可動ブラケット２１及び天板受部材２２はねじ等によって天板２の下面に取り付けられ、天板受部材２２は天板２の下面を幅方向Ｘに沿って支持することで天板２の反りを防止する。可動ブラケット２１の下端部には開口２１ａが設けられて、図３及び図４に示す固定ブラケット１４が挿入され、内部において当該可動ブラケット２１が支軸ｍ１を介し固定ブラケット１４に回転可能に連結されている。前記支軸ｍ１は、当該支軸ｍ１の軸心と直交する天板奥行き方向Ｙに沿って天板２の中心付近、具体的には、図３に示す天板２の中心位置Ｃから天板奥行き方向Ｙに沿って僅かにオフセットした位置に設定されている。支軸ｍ１は天板２がフラップ動作を行う際の軸線を与える。
【００３６】
左右の可動ブラケット２１内には、ロック位置と非ロック位置との間で支軸ｍ２の回りに回転するロック片２３が設けられている。左右のロック片２３の支軸ｍ２から変位した部位の間は、図２に示すように天板受部材２２に沿って平行に延びる連動軸２４によって連結されており、この連動軸２４が駆動されることによって、図３に示す天板２の使用位置２（Ｐ）でロック片２３に設定した第１の係り合い部２３ａが固定ブラケット１４の対応位置に設定した第１の被係り合い部１４ａに係り合い、図４に示す天板２の起立位置２（Ｑ）でロック片２３に設定した第２の係り合い部２３ｂが固定ブラケット１４の対応位置に設定した第２の被係り合い部１４ｂに係り合って、天板２を使用位置２（Ｐ）又は起立位置２（Ｑ）の何れかの位置に選択的にロックする。同時に天板２は、使用位置２（Ｐ）でその下面を固定ブラケット１４の上面１４ｃに支持され、起立位置２（Ｑ）でその下面を固定ブラケット１４の立面１４ｄに添設する位置に配される。図４に示す起立位置２（Ｑ）で天板２は脚支柱１１に対して平行とされる。図２に示すように、連動軸２４の幅方向中央部にはカバー２５ａで被覆した状態でロッド２５ｂが接続され、このロッド２５ｂは天板２の奥行き方向中央部から外縁付近にまで延びて、先端に操作レバー２５ｃが取り付けられる。そして、操作レバー２５ｃを牽引すると連動軸２４が作動し、前記ロック片２３が非ロック位置に向かう方向（図３及び図４における反時計回り）に駆動される。ロック片２３は操作力が解除された際にロック位置に向かう方向にバネ等によって弾性的に押し付けられている。
【００３７】
この実施形態では、図３に示すように天板２の厚みを無視すれば天板奥行き方向Ｙに沿って天板２の中心位置Ｃと重心位置Ｍとがほぼ合致する関係にあり、重心位置Ｍが支軸ｍ１に対して天板奥行き方向Ｙにオフセットさせてある。より具体的には、天板３の重心位置Ｍとの関係において前記支軸ｍ１の位置は、天板２がフラップ動作を行う際に重心位置Ｍが支軸ｍ１の真上に到来する傾斜姿勢２（Ｒ）の位置を思案点として、それよりも浅い角度で図３の使用位置２（Ｐ）に向かう回転モーメントが天板２に生じ、それよりも深い角度で図４の起立位置２（Ｑ）に向かう回転モーメントが天板２に生じる関係にある。
【００３８】
そして、図２及び図５に示すように、前記支軸ｍ１の軸心上にトーションバー４を配置して、一端４１側を前記可動ブラケット２１を貫通して固定部たる固定ブラケット１４に回転不能に支持させ、他端４２側を前記天板２の幅方向Ｘに沿って前記天板受部材２２の隣接位置に平行に延出させて、当該他端４２の近傍を天板受部材２２の側面に固定部たる固定片４３を介して天板２とともに一体回転するように固定している。図５は模式図であり、トーションバー４の少なくとも両端４１，４２を角柱形状にして、一端４１を内空が角孔である固定具４４に挿し通し、この固定具４４の外周を円筒面形状にして固定ブラケット１４に溶接等により固定し、可動ブラケット２１を前記固定具４４の外周に取り付けて支軸ｍ１の回りに回転可能に支持させるとともに、他端４２を固定片４３の角孔に挿入することによって、支軸ｍ１上でのトーションバー４と可動ブラケット２１との取り付けを両立させている。勿論、このような支軸ｍ１上でのトーションバー４と可動ブラケット２１との取付構造は一例に過ぎず、これに限られるものではない。トーションバー４の構造や機能自体は周知であるためここでの詳細は省略するが、一端４１と他端４２の間にねじりがない状態では弾性力を蓄積せず、固定された一端４１に対して他端４２が天板２の回転とともに回転してねじり変位が生じると、その変位に応じたねじり弾性力がトーションバー４に蓄積される。この実施形態では、天板２が図４に示す起立位置２（Ｑ）にあるときにねじれ変位がなく、この位置から天板２が図３に示す使用位置２（Ｐ）に向かって回転した際にトーションバー４がねじれを増大させて弾性力を蓄積するように設定されている。勿論、天板２がこれらの図において想像線で示す傾斜姿勢２（Ｒ）にあるときにねじれ変位が無いように設定することもでき、この場合には使用位置２（Ｐ）からの跳ね上げ操作及び起立位置２（Ｑ）からの倒伏操作の何れに対してトーションバー４による助勢作用を得ることができる。
【００３９】
このようなフラップテーブルＴは、オフィス等において随意の場所に運ばれて使用されるが、近似においてはフラップテーブルＴにおいても電子機器類を使用することが日常的となってきているため、移動先で電源が確保できない事態に備える必要がある。そこで、前記天板２には、図１及び図２に示すように、平面方向の一部の領域において、当該天板面２１よりも下方に、天板２の厚みを利用して天板面２１と平行な状態で板状のバッテリ５を収納するバッテリ収納部６（６ａ、６ｂ）を設けている。これらのバッテリ収納部６は、天板２の中央付近において、天板２の幅方向Ｘの中心を連ねた中心線ｖ及び奥行き方向Ｙの中心を連ねた中心線ｗで区画される各領域に１つずつ、計４箇所に設けられているもので、各バッテリ収納部６は、天板２の裏面側に一部を肉盗みした状態で設けた矩形状の凹部６１と、この凹部６１を閉止する位置にねじにより着脱される蓋部材たる裏板６２との間に構成されて、裏板６２を外すことによりバッテリ収納部６が裏面側に開放される。天板２の奥行き方向Ｙに沿って対をなす２つのバッテリ収納部６ａ、６ｂは、図７に示すように支軸ｍ１のほぼ両側に位置づけられている。天板奥行き方向Ｙに対をなす２つのバッテリ収納部６ａ、６ｂの間には、図６及び図７に示すように天板２を肉厚方向に打ち抜いた形態をなす矩形状の配線空間Ｓが形成され、各バッテリ収納部６ａ、６ｂは天板面２１に沿ってその一部が前記配線空間Ｓ側に開放されている。
【００４０】
配線空間Ｓの上方は天板面２１上に配線取出口２６として開口している。この配線取出口２６に関しても、図７に示すように、フラップ動作の中心となる軸線たる支軸ｍ１と直交する天板奥行き方向Ｙに沿った天板中央部（中心位置Ｃ）に当該配線取出口２６のセンターが位置し、天板奥行き方向Ｙに沿って両側の天板縁部２ｍ、２ｎから略均等に配線取出口として利用可能なものである。そして、この配線取出口２６の下に、天板受部材２２を利用して配線ダクト７が、図７の紙面に垂直な天板幅方向Ｘに沿って構成してある。この配線ダクト７は、図６に示すように、前記天板受部材２２を受容するように下方から天板裏面に取り付けられ一部にコ字形部分を含むダクト材７１の当該底壁７１ａと、天板奥行き方向Ｙに沿って対をなす一対の裏板６２の一方に設けた折曲片６２ａと、前記天板受部材２２の一方の立面２２ａとを組み付けた位置に上向きチャネル状に形成されたもので、天板奥行き方向Ｙの両側の壁（折曲片６２ａと立面２２ａ）及び天板下方Ｚの壁（底壁７１ａ）によって三方が閉じた配線空間７Ｓを形成し、その上方の前記配線空間Ｓに連通している。すなわち、幅広な配線空間７から幅狭な配線空間７Ｓへと配線類を落とし込める構造をなしている。この配線ダクト７は、裏板６２とともに前記トーションバー４や前記連動軸２４を配線取出口２６側から視認できないように遮蔽する位置及び範囲に亘って延びている。図９に示すように、左右の配線ダクト７を構成するダクト材７１，７１の間は分断していて、各配線ダクト７は側方の端部７ｘで開放されており、下から立ち上げた配線をそこから配線ダクト７内に導入することが可能とされている。図１に示す天板２の使用位置２（Ｐ）において、前記配線空間Ｓ等も、天板奥行き方向Ｙに沿って両側の天板縁部２ｍ、２ｎから中央配線空間として利用可能なものである
【００４１】
ここで、前述したように配線空間Ｓは天板２の中央を打ち抜いて配線取出口２６とともに形成されたものであり、配線取出口２６を挟んで天板２の奥行き方向Ｙの使用領域の一部が分断された状態になるが、前記天板２の配線取出口２６を挟んで幅方向両縁部側を支持するブラケット２１，２１は、前記分断された使用領域の側方において両領域にまたがるように位置づけられており、天板２の中央に配線取出口２６等を設けたことによる天板２の強度低下が有効に防止されている。
【００４２】
この実施形態で用いるバッテリ５は、図７及び図８に示すように、前記天板２の凹部６１に埋没する厚み５ｔと、当該凹部６１の天板幅方向の内寸６１ｗに略等しい幅寸法５ｗと、当該凹部６１の奥行き方向の内寸６１ｄよりも大きい奥行き寸法５ｄとを有するもので、バッテリ５をバッテリ収納部６ａ、６ｂに収納して裏板６２を取り付けた状態で、バッテリ５が凹部６１と裏板６２との間に挟まれて固定され、バッテリ５の後縁側は凹部６１から食み出して配線取出口２６内の配線空間Ｓに位置する寸法関係にある。ただし、このような蓋構造を採用する場合、バッテリ５と天板２の裏面に設けた凹部６１の内面との間、或いはバッテリ５と裏板６２の内面との間に隙間やすべりが存するときに、天板２のフラップ動作や移動によってバッテリ収納部６ａ、６ｂ内でバッテリ５がガタつくおそれがある。そこで、図２に示すように、裏板６２を係止部材である摩擦シート６３を介してバッテリ５に圧着させるようにしている。この摩擦シート６３は、予め裏板６２側に貼着しておいてもよい。すなわち摩擦シート６３は、裏板６２の取り付け時にバッテリ５と係り合い、天板２の姿勢にかかわらずバッテリ５の位置を保持する役割を果たす。勿論、係止部材は天板２の裏面側に設けておくこともできる。
【００４３】
バッテリ５の後縁側にはコード引出部５ａが設けてあり、対向位置にある同じ仕様のバッテリ５との間に所定間隔を隔てて背合わせに配置される。対向位置にある一対のバッテリ収納部６ａ、６ｂは、一対のバッテリ５の互いのコード引出口５ａが干渉しないように、天板幅方向Ｘに沿って凹部６１の位相がピッチＰだけずらせてある。配線空間Ｓ側に食み出したバッテリ５の後縁側の上面には、給電電圧や給電状態等の給電情報を示すＬＥＤ等を用いたバッテリ表示部５ｃが設けてある。上記のように、バッテリ５は天板２の凹部６１に埋没して配されるとともに、天板２の裏面すなわち凹部６１の下面と裏板６２との間に挟まれているため、図４のように起立させても凹部６１の内面に支持され、或いは厚み方向に挟持されて、所定の位置を保持される。
【００４４】
そして、配線空間Ｓの上方に位置する配線取出口２６を内部の配線空間Ｓとともに閉止するために、図１に示すようにカバー８を設けている。この実施形態では、前述した天板受部材２２やチャネル材７１、裏板６２等がスチールで構成されており、これとの関係で、カバー８には配線取出口２６に装着した位置でこれらに吸着する図示しない保持手段たるマグネットを設けて、フラップ動作中にカバー８の閉止状態を維持することを可能としている。図８で右側の網掛けを付したものがカバー８であり、閉止位置にあるカバー８の側方に配線空間Ｓの一部を開放する開放部８ｚを設けて配線の引き出しを可能にするとともに、バッテリ５の一部に設けられて給電能力や給電状態等の給電情報を表示するバッテリ表示部５ｃがかかる開放部８ｚから視認可能としている
【００４５】
前記幕板１５は、図２、図７及び図９に示すように、板状の幕板本体１５ａの下端側に上向きチャネル状の電源ユニット収納部１５ｂを構成し、コードリールＵ１や変圧器Ｕ２等の電源ユニットＵを収納可能なもので、前記配線空間Ｓ，７Ｓの下方に位置づけられている。この幕板１５は、図３に示す天板２の使用位置２（Ｐ）で天板奥行き方向Ｙに沿って下肢空間をほぼ等分する位置にあり、天板２がフラップして図４に示す起立位置２（Ｑ）にあるときに当該幕板１５の側方に天板２が平行に密接する。図２に示すコードリールＵ１は引出口を上方に向けて電源ユニット収納部１５ｂに固定されている。
【００４６】
すなわち、このフラップテーブルＴは、例えば図１に示す天板奥行き方向Ｙの各天板縁部２ｍ、２ｎにそれぞれ２人ずつが対面状態で着座して、それぞれがパーソナルコンピュータ等の電子機器類を配線取出口２６の内部に形成された配線空間Ｓを介して最寄のバッテリ５に接続し、給電を受けることができるものである。
【００４７】
なお、図９に符号Ｄで示すものは充電ドックである。この充電ドックＤは、扁平な中空板状のスタンド９１の平面視Ｔ字をなす位置にベース９２を取り付けて自立させたもので、スタンド９１の内部に電源ユニット９１ｂを有し、小口の複数個所に電源供給口９１ａを有している。
【００４８】
この充電ドックＤは、電源供給口９１ａを提供する機能と、フラップテーブルＴを集合させる機能とを兼ね備える。すなわち、フラップさせた状態でテーブルＴを移動させ、天板２がスタンド９１に平行となる姿勢で近づけると、フラップテーブルＴの脚体１を構成するベース脚１２のキャスタ１２ａに対して前記ベース９２が車止めとなり、所定位置で停止する。この位置で、前記電源ユニット収納部１５ｂに収納したコードリールＵ１からプラグを引き出して前記電源供給口９１ａに差し込むことで、収納されている間に各バッテリに対して充電を行うことができる。
【００４９】
その際、天板２を起立させた状態で、一のフラップテーブルＴに他のフラップテーブルＴを斜め方向から近づけることによって、ベース脚１２，１２同士が干渉する位置で天板２，２同士が平行に近接して水平スタックが実現可能とされており、前記充電ドックＤの近くに整然と集合させて、同じく電源供給口９１ａにプラグを差し込んで各バッテリ５に対する充電を行うことができる。
【００５０】
他にも、充電ドックＤに対するフラップテーブルＴの整列の態様は種々に変形実施することができる。
【００５１】
以上のように、本実施形態のフラップテーブルＴは、フラップ動作を行う天板２の平面方向の一部の領域において、当該天板面２１よりも下方に、天板２の厚みの少なくとも一部を利用して天板面２１と平行な状態で板状のバッテリ５を収納するバッテリ収納部６ａ、６ｂを設け、このバッテリ収納部６ａ、６ｂを蓋部材である裏板６２によって閉止可能かつ天板面２１以外の部位に開放可能としたものである。
【００５２】
このように天板２の平面方向の一部の領域のみにバッテリ収納部６ａ、６ｂを設けるようにすれば、天板２の強度を損なわずにバッテリ５を組み込むことができる。特に、天板２の厚みの少なくとも一部をバッテリ収納部６ａ、６ｂに利用することで、天板裏面への突出も抑えることができ、下肢空間を狭めたり、フラップ動作時にスタッキング効率の低下につながることも極力回避することができる。また、天板２の厚みの一部にバッテリ５が収納されることで、天板２をフラップ動作させた際にバッテリ５を天板２の内壁に安定的に添設させておく効果も得ることができる。そして、バッテリ収納部６ａ、６ｂが天板面２１以外の部位に開放されるため、天板面２１の外観を損ねることもない。特に本実施形態では、バッテリ収納部６ａ、６ｂは、単体のものを少なくとも３辺において包囲した状態で収納できる程度の大きさにしてあるため、収まりが極めて良好な状態となる。
【００５３】
具体的には、バッテリ収納部６ａ、６ｂが天板２の裏面側に開放されるものであり、蓋部材が前記天板２の裏面に対して着脱可能な裏板６２であるため、天板裏面を裏板６２で覆えば使用時にバッテリ５を好適に隠蔽状態で保持することができ、天板２をフラップ状態にすれば裏板６２の取り外しも容易となってバッテリ５の初期装着時や交換時等の作業にも資するものとなる。
【００５４】
この場合、前記バッテリ収納部６ａ、６ｂを、天板２の厚み内にバッテリ５全体が埋没するように構成しているので、裏板６２も基本的に平板でよく、天板２からのバッテリ５や裏板６２の突出の問題も殆ど解消することができる。
【００５５】
その際、前記裏板６２の内面に、当該裏板６２の取り付け時にバッテリ５と係り合って天板２の姿勢にかかわらずバッテリ５の位置を保持する係止部材たる摩擦シート６３を設けているので、天板２のフラップ動作時や移動時などにバッテリ収納部６ａ、６ｂ内でバッテ５がガタつくことを有効に防止することができる。
【００５６】
そして、係止部材に摩擦シート６３を採用することで、裏板６２等への係止構造の作り込み等を不要にすることができる。
【００５７】
また、本実施形態は、フラップ動作する天板２の動作中心となる軸線である支軸ｍ１に対し、天板奥行き方向Ｙに沿ってその近傍に複数のバッテリ５の平均重心が位置づけられ、天板２の回転時にバッテリ５からのモーメントが掛かり難い状態になるため、天板２の回転バランスがとれ、円滑なフラップ動作を実現することができる。
【００５８】
具体的には、フラップ動作する天板２の動作中心となる軸線である支軸ｍ１を挟んで当該支軸ｍ１と直交する天板奥行き方向Ｙの両側にバッテリ収納部６ａ、６ｂを対をなして設けているので、バッテリ５が支軸ｍ１の両側に略均等に分散し、対面位置におけるバッテリ５の使い勝手と天板２の良好な回転バランスの確保とを同時に実現することができる。
【００５９】
この場合、対をなすバッテリ５，５の間に上方に開放可能な共通の配線空間Ｓを有し、この配線空間Ｓを介して天板２の上方空間とバッテリ５との間で配線の引き回しを可能にしているので、バッテリ５から配線空間Ｓを介して配線の引き回しが容易となり、各バッテリ５からの配線を配線空間Ｓにおいて好適に集線、管理することもできるようになる。
【００６０】
また、天板表面２１のうち前記配線空間Ｓを開閉する位置に、カバー８を、保持手段であるマグネットを介してフラップ動作中に閉止状態を維持し得るように配置しているので、フラップ動作中にカバー８が脱落することを有効に防止して、フラップテーブルＴの中央に配線機能を持ち込む構成を実効あらしめることができる。
【００６１】
しかも、閉止位置にあるカバー８の側方に配線空間Ｓの一部を開放する開放部８ｚを設けて天板２上からバッテリ５へのアクセスを可能にするとともに、バッテリ５の一部に設けられて給電能力や給電状態等の給電情報を表示するバッテリ表示部５ｃもかかる開放部８ｚから視認可能としているので、カバー８を閉止してもバッテリ５の利用が可能になり、バッテリ５が外部から視認し難い位置にあってもバッテリに関する情報を容易に収得することができる。
【００６２】
そして、天板２をフラップ動作可能に支持する一対の脚体１，１の間に、変圧器等の電源ユニットＵを収納する電源ユニット収納部１５ｂを備えた幕板１５を配置し、天板２の使用状態で前記電源ユニット収納部１５ｂを前記配線空間Ｓの下方に位置づけているので、電源ユニットＵから配線空間Ｓに配線を立ち上げる際の便を有効に確保することができる。
【００６３】
なお、各部の具体的な構成は、上述した実施形態のみに限定されるものでない。
【００６４】
例えば、本発明の機能を発揮するにあたって、天板は楕円形状である必要はなく、矩形状、或いは多角形状等であっても構わない。
【００６５】
また、カバーの保持手段には、マグネット以外に、弾性爪を適宜部位に弾性的に係り合わせる構造等も採用することができる。
【００６６】
さらに、バッテリ収納部は天板奥行き方向に一対（すなわち、合計で２箇所）であってもよく、逆に３対以上であってもかまわない。勿論、天板奥行き方向に１つのみを設ける場合にも本発明を好適に適用することができる。
【００６７】
また、フラップ動作時の動作中心となる軸線は必ずしも終始一定位置である必要はなく、移動しても構わない。また、リンク等によりフラップ動作が与えられる場合には、仮想の軸線であってもよい。
【００６８】
また、図１０に示すように、裏板６２，６２のうちの一方に折り曲げ片６２ｘを、他方に折り曲げ片６２ｙを形成し、これらの折り曲げ片６２ｘ、６２ｙを組み合わせて前記バッテリ収納部６ａ、６ｂに連通する配線空間７Ｓ´を形成することも有効である。
【００６９】
このようにすれば、バッテリ収納部６ａ、６ｂにバッテリを収納して裏板６２で閉止する際に同時に配線処理を行うことができるので、使い勝手の向上と部品点数の削減とを有効に図ることができる。
【００７０】
また、図１１に示すように、バッテリ収納部１０６を天板１０２の厚み内に袋状に構成して、側縁１０２ｐ側に開放し、蓋部材であるエッジカバー１６２を前記側縁１０２ｐに対し着脱可能にしてバッテリ収納部１０６を開閉するように構成することも効果的である。
【００７１】
このようにすれば、バッテリ１０５を天板１０２の内部に好適に隠蔽した状態で保持することができ、エッジカバー１６２を外せばバッテリ１０５の初期装着時や交換時の作業を簡単に行うことができる。しかも、天板１０２の側縁１０２ｐは天板１０２がどのような姿勢にあるかによらずにアクセスできるため、使い勝手も良好となる。
【００７２】
例えば、天板１０２が、ペーパーコア１２１の周囲に木製の枠材１２２を配置し、両面を表面材１２３、１２４で接着した構造のものであれば、ペーパーコア１２１と枠材１２２の一部に肉盗み部を設ければ上記のバッテリ収納部１０６を容易に構成することができる。天板１０２の側縁１０２ｐにエッジカバー１６２を取り付ける際には、先に前記側縁１０２ｐにベース部材１６０を取り付け、このベース部材１６０に設けた爪係合部１６０ａにエッジカバー１６２の対応部位を弾性的に係り合わせれば、バッテリ１０５を着脱可能にしても良好な外観を保つことができる。
【００７３】
その他の構成も、本発明の趣旨を逸脱しない範囲で種々変形が可能である。
【符号の説明】
【００７４】
２…天板
５…バッテリ
６ａ、６ｂ…バッテリ収納部
８…カバー
８ｚ…開放部
１５…幕板
１５ｂ…電源ユニット収納部
２１…天板面
６２…蓋部材（裏板）
６３…係止部材（摩擦シート）
ｍ１…軸線（支軸）
Ｓ…配線空間
Ｔ…フラップテーブル
Ｕ…電源ユニット
Ｙ…天板奥行き方向
【図１】
0005419038.tif 000002
【図２】
0005419038.tif 000003
【図３】
0005419038.tif 000004
【図４】
0005419038.tif 000005
【図５】
0005419038.tif 000006
【図６】
0005419038.tif 000007
【図７】
0005419038.tif 000008
【図８】
0005419038.tif 000009
【図９】
0005419038.tif 000010
【図１０】
0005419038.tif 000011
【図１１】
0005419038.tif 000012